(57)【要約】【課題】施工やコスト面に優れるとともに、短周期の地震による共振の発生を防止でき、また、温度応力に起因するひび割れの発生位置を制御できる橋桁支持体を提供する。【解決手段】橋台１の壁部３を、その長手方向において複数の分割体１０に分割し、隣接する分割体の間に縁切り部材１５を介在させることによって、各分割体の固有周期が長くなるので、短周期の地震の際における共振を防止できる。また、分割体１０，１０の間に縁切り部材を介在した簡単な構造であるので、施工やコスト面でも優れたものとなる。さらに、壁部３の表面に、分割体１０，１０の境界部に対応する部位において、ひび割れを誘発する溝状の誘発目地１６を形成することによってひび割れの発生位置を制御できる。【選択図】図２
2005188181.tif 000002
【特許請求の範囲】
【請求項１】
橋桁の端部または中間部を支持する橋台や橋脚等の橋桁支持体であって、
橋桁支持体の壁部が、その長手方向において複数の分割体に分割されており、隣接する分割体の間に縁切り部材が介在されていることを特徴とする橋桁支持体。
【請求項２】
前記壁部の表面に、前記分割体の境界部に対応する部位において、ひび割れを誘発する溝状の誘発目地が形成されていることを特徴とする請求項１に記載の橋桁支持体。
【請求項３】
前記溝状の誘発目地には弾性材が充填されていることを特徴とする請求項２に記載の橋桁支持体。
【発明の詳細な説明】
【技術分野】
【０００１】
本発明は、橋桁の端部または中間部を支持する橋台や橋脚等の橋桁支持体に関するものである。
【背景技術】
【０００２】
橋桁を下方から支持する橋台や橋脚等の橋桁支持体は、通常鉄筋コンクリート等によって構築される場合が多い。このような大型の鉄筋コンクリート製の構造物では、地震による被害を最小限にするために、例えば、特許文献１や特許文献２等に示すように、制振装置を取り付ける場合もある。
【特許文献１】特開平１１−２２９３１９号公報
【特許文献２】特開平０８−１２０６１９号公報
【発明の開示】
【発明が解決しようとする課題】
【０００３】
上記のように橋台等の橋桁支持体に、制振装置を取り付けることによって、地震の際の橋桁支持体の振動をある程度制振可能であるが、制振装置を取り付けなければならないので、橋の施工に手間がかかるとともに、コストもかかることになる。
また、橋台や橋脚等の橋桁支持体は、大型でかつ剛性が大きいため固有周期が小さく、短周期の地震が発生すると、この地震の振動と共振して大きな被害を生じる場合があるが、上記のような制振装置では短周期の地震によって橋桁支持体に共振が生じた場合は、それを制振するのは困難な場合もある。
さらに、橋台や橋脚等の橋桁支持体が鉄筋コンクリート製である場合、マスコンクリートとなるので、温度応力に起因するひび割れが発生したり、地震等によってひび割れが発生する場合があるが、これらのひび割れの発生位置によっては、橋桁支持体に大きな悪影響を及ぼしかねない。
【０００４】
本発明は上記事情に鑑みてなされたものであり、施工やコスト面に優れるとともに、短周期の地震による共振の発生を防止でき、また、温度応力や地震等に起因するひび割れの発生位置を制御できる橋桁支持体を提供することを課題としている。
【課題を解決するための手段】
【０００５】
上記課題を解決するために、請求項１に記載の発明は、例えば図１〜図３に示すように、橋桁の端部または中間部を支持する橋台や橋脚等の橋桁支持体（橋台）１であって、
橋桁支持体１の壁部３が、その長手方向において複数の分割体１０に分割されており、隣接する分割体１０，１０の間に縁切り部材１５が介在されていることを特徴とする。
【０００６】
ここで、橋桁支持体の本体部を構成する壁部を、その長手方向において複数の分割体に分割する場合、等分割しもよいし、異なる大きさに分割してもよい。
また、前記縁切り部材としては、例えば鉄板等を使用することができるが、これに限るものではない。要は、隣接する分割体の縁を切り、地震等の際に、分割体１０ごとに挙動させることができるものであればよい。
また、本発明を橋脚に適用する場合、壁式橋脚に適用するのが好ましい。
【０００７】
請求項１に記載の発明によれば、橋桁支持体の壁部が、その長手方向において複数の分割体に分割されており、隣接する分割体の間に縁切り部材が介在されているので、各分割体の固有周期が長くなる。したがって、従来の大型で一体型の橋桁支持体に比して、短周期の地震の際における共振を防止できる。
また、壁部を複数の分割体に分割し、それらの間に縁切り部材を介在した簡単な構造であるので、施工やコスト面でも優れたものとなる。
【０００８】
請求項２に記載の発明は、請求項１に記載の橋桁支持体において、
前記壁部３の表面に、前記分割体１０，１０の境界部に対応する部位において、ひび割れを誘発する溝状の誘発目地１６が形成されていることを特徴とする。
【０００９】
請求項２に記載の発明によれば、壁部が複数の分割体によって構成されているので、壁部が一体化されてマスコンクリートーとなっている従来のものに比して、温度応力に起因するひび割れが発生し難くなる。
また、温度応力や地震等に起因してひび割れが発生する場合は、分割体の境界部に対応する部位に形成された誘発目地部に発生するので、ひび割れの発生位置を制御でき、よって、ひび割れによる橋桁支持体への悪影響を防止できる。つまり、ひび割れは、誘発目地に半強制的に発生させるものであり、分割体どうしは縁切り部材によって縁が切られているので、このひび割れによって橋桁支持体に構造的な悪影響が及ぶのを防止できる。
【００１０】
請求項３に記載の発明は、請求項２に記載の橋桁支持体において、
前記溝状の誘発目地１６には弾性材１７が充填されていることを特徴とする。
【００１１】
ここで、弾性材としては、例えばシーリング材等のようにある程度柔軟性を有し、ひび割れが入り難いものが好適に使用される。
【００１２】
請求項３に記載の発明によれば、誘発目地に弾性材が充填されているので、温度応力や地震等に起因して、誘発目地にひび割れが発生した際に、このひび割れを弾性材によって覆い隠すことができる。
【発明の効果】
【００１３】
本発明によれば、橋桁支持体の壁部が、その長手方向において複数の分割体に分割されており、隣接する分割体の間に縁切り部材が介在されているので、各分割体の固有周期が長くなり、よって、従来の大型で一体型の橋桁支持体に比して、短周期の地震の際における共振を防止できるとともに、簡単な構造であるので、施工やコスト面でも優れたものとなる。
また、壁部が複数の分割体によって構成されているので、温度応力に起因するひび割れが発生し難くなり、さらに、温度応力や地震等に起因してひび割れが発生する場合は誘発目地部に発生するので、ひび割れの発生位置を制御でき、よって、ひび割れによる橋桁支持体への悪影響を防止できる。さらに、誘発目地に弾性材が充填されているので、誘発目地にひび割れが発生した際に、このひび割れを弾性材によって覆い隠すことができる。
【発明を実施するための最良の形態】
【００１４】
以下、図面を参照して本発明の橋桁支持体の実施の形態について説明する。本実施の形態では、本発明に係る橋桁支持体を橋台に適用した場合を例にとって説明する。
図１は橋台（橋桁支持体）の正面図、図２は図１におけるＡ−Ａ線断面図、図３は図２におけるＸ円部の拡大図である。
【００１５】
図１に示すように、橋台１は、鉄筋コンクリート製のものであり、フーチング部２と、このフーチング部２の上面に形成された壁部３と、この壁部３の上面に形成された梁部４と、この梁部４の上面に形成されたパラペット部５とを備えている。
フーチング部２および壁部３の下端部は地盤に埋設されており、フーチング部２は地盤に打ち込まれた複数の基礎杭６…によって支持されている。パラペット部５の厚さは梁部４より薄く形成されており、パラペット部５と梁部４とは側面視において略Ｌ字状に形成されている。そして、パラペット部５より前方の梁部４の上面が、桁受け部７となっており、この桁受け部７に橋桁（図示略）の端部が設置されて下方から支持されるようになっている。
【００１６】
前記壁部３は、その長手方向（図１において左右方向）において複数（図１では４つ）の分割体１０に等分割されている。分割体１０は矩形の柱状のものであり、その内部には主鉄筋１１と帯鉄筋１２とが設けられている。
前記分割体１０はそれ自身で１本のコンクリート柱を構成するように、主鉄筋１１および帯鉄筋１２が配筋されている。
つまり、図２に示すように、４つの分割体１０のうち、左右に位置する分割体１０，１０では、それぞれ主鉄筋１１…が平断面視において略コ字状または略逆コ字状に配筋されている。また、中央部に位置する２つの分割体１０，１０では、それぞれ主鉄筋１１…が平断面視において平行に配筋されている。
また、帯鉄筋１２は平断面視矩形リング状のものであり、前記主鉄筋１１を取り囲むようにして配筋されている。また、複数の帯鉄筋１２，１２は左右方向において等間隔に配筋されている。
【００１７】
さらに、隣接する分割体１０，１０の間（境界部）には、縁切り部材１５が介在されている。
この縁切り部材１５は鉄板で形成されたものであり、図３に示すように、隣接する分割体１０，１０の境界部に配置される縁切板１５ａと、この縁切板１５ａの両端部に、該縁切板１５ａと直交してそれぞれ形成されたフランジ板１５ｂとを備えた構成となっている。そして、縁切り部材１５は、そのフンランジ板１５ｂの両端部をそれぞれ、隣接する分割体１０，１０の帯鉄筋１２，１２の出隅部に当接することによって、コンクリート打設前の隣接する分割体１０，１０の帯鉄筋１２，１２間に位置決めされている。
このように、各分割体１０を構成する主鉄筋１１および帯鉄筋１２、縁切り部材１５を図示しない型枠内に配筋してコンクリートを打設することによって、複数の柱状の分割体１０からなる壁部３が形成され、隣接する分割体１０，１０どうしは縁切り部材１５によって縁切りされ、地震等の際には分割体１０毎に挙動することになる。
【００１８】
また、前記壁部３の表面には、図３に示すように、分割体１０，１０の境界部に対応する部位において、溝状の誘発目地１６が形成されている。
この誘発目地１６は、その部分に半強制的にひび割れを発生させるものであり、壁の上下方向に沿ってその上端から下端まで形成されている。誘発目地１６には、シーリング材等の柔軟性のある弾性材１７が充填されており、弾性材１７の表面は壁部１３の表面とほぼ面一になっている。
【００１９】
上記のような橋台１では、その壁部３が長手方向において複数の分割体１０に分割されており、隣接する分割体１０，１０の間に縁切り部材１５が介在されているので、各分割体１０の固有周期が、従来の一体型の壁部に比して長くなる。
したがって、従来の大型で一体型の橋台に比して、短周期の地震の際における共振を防止できる。
また、壁部３を複数の分割体１０に分割し、それらの間に縁切り部材１５を介在した簡単な構造であるので、施工やコスト面でも優れたものとなる。
【００２０】
また、壁部３が複数の分割体１０によって構成されているので、壁部３が一体化されてマスコンクリートーとなっている従来のものに比して、温度応力に起因するひび割れが発生し難くなる。
そして、温度応力や地震等に起因してひび割れが発生する場合は、分割体１０の境界部に対応する部位に形成された誘発目地部１６に発生するので、ひび割れの発生位置を制御でき、よって、ひび割れによる橋台１への悪影響を防止できる。このひび割れは、誘発目地１６に半強制的に発生させるものであり、分割体１０，１０どうしは縁切り部材１５によって縁が切られいるので、このひび割れによって橋台１に構造的な悪影響が及ぶのを防止できる。
さらに、誘発目地１６に弾性材１７が充填されているので、温度応力や地震等に起因して、誘発目地にひび割れが発生した際に、このひび割れを弾性材１７によって覆い隠すことができる。
また、縁切り部材１５のフンランジ板１５ｂの両端部をそれぞれ、隣接する分割体１０，１０の帯鉄筋１２，１２に当接することによって、コンクリート打設前の隣接する分割体１０，１０の帯鉄筋１２，１２間に位置決めしたので、縁切り部材１５の位置決めが容易であり、また、コンクリート打設に伴って縁切り部材１５の位置がずれるのを防止できる。
【００２１】
なお、本実施の形態では、本発明の橋桁支持体を橋台１に適用した場合を例にとって説明したが、本発明は壁式の橋脚にも適用できるのは勿論である。
また、本実施の形態では、壁部３を等分割して複数の同幅の分割体１０を形成したが、不等分割して幅の異なる分割体を形成してもよい。
【図面の簡単な説明】
【００２２】
【図１】橋桁支持体としての橋台を示す正面図である。
【図２】図１におけるＡ−Ａ線断面図である。
【図３】図２におけるＸ円部の拡大図である。
【符号の説明】
【００２３】
１  橋台（橋桁支持体）
３  壁部
１０  分割体
１５  縁切り部材
１６  誘発目地
１７  弾性材
【図１】
2005188181.tif 000003
【図２】
2005188181.tif 000004
【図３】
2005188181.tif 000005